(57)【特許請求の範囲】
【請求項１】
上板と、
前記上板から所定距離離間させて設けられた下板と、
前記上板と前記下板との間に密閉された放電空間を形成する壁体と、
前記放電空間内に充填される放電ガスと、
前記放電空間を複数の単位放電空間に区切るスペーサと、
前記上板に設けられた第１上板電極、および前記放電空間を挟んで前記第１上板電極と向い合わせに前記下板に設けられた第１下板電極から構成される第１電極対と、
前記上板に設けられた第２上板電極、および前記放電空間を挟んで前記第２上板電極と向い合わせに前記下板に設けられた第２下板電極から構成される第２電極対とを含み、
前記第１電極対と前記第２電極対は、それぞれ単位放電空間毎に設けられており、
前記第２電極対は、前記第１電極対から所定距離離間させて設けられていると共に、
前記各単位放電空間に対応する第１電極対と第２電極対は前記上板および前記下板の内面に各々形成され、
前記第１上板電極、前記第１下板電極、前記第２上板電極、そして前記第２下板電極の各々は、低突出部と、当該低突出部よりも前記単位放電空間内への突出量が大きい高突出部とが長手方向に沿って交互に配置されて形成される
ことを特徴とするプラズマ平板ランプ。
【請求項２】
上板と、
前記上板から所定距離離間させて設けられた下板と、
前記上板と前記下板との間に密閉された放電空間を形成する壁体と、
前記放電空間内に充填される放電ガスと、
前記放電空間を複数の単位放電空間に区切るスペーサと、
前記上板に設けられた第１上板電極、および前記放電空間を挟んで前記第１上板電極と向い合わせに前記下板に設けられた第１下板電極から構成される第１電極対と、
前記上板に設けられた第２上板電極、および前記放電空間を挟んで前記第２上板電極と向い合わせに前記下板に設けられた第２下板電極から構成される第２電極対とを含み、
前記第１電極対と前記第２電極対は、それぞれ単位放電空間毎に設けられており、
前記第２電極対は、前記第１電極対から所定距離離間させて設けられていると共に、
前記各単位放電空間に対応する第１電極対と第２電極対は前記上板および前記下板の外面に各々形成され、
前記上板と前記下板は、前記単位放電空間内への突出量が異なるように、凹凸形成される
ことを特徴とするプラズマ平板ランプ。
【発明の詳細な説明】
【０００１】
【発明の属する技術分野】
本発明はプラズマ平板ランプに関するものである。より詳しくは、高輝度、高発光効率、そして均一な輝度などの諸特性を備えたプラズマ平板ランプに関する。
【０００２】
【従来の技術】
液晶表示装置（ＬＣＤ：Ｌｉｑｕｉｄ Ｃｒｙｓｔａｌ Ｄｉｓｐｌａｙ）のバックライトとして主に用いられる平板ランプは、従来、冷陰極蛍光ランプを用いるエッジライト型若しくはダイレクトライト型のプラズマ平板ランプが主流であったが、近年は、面放電型や対向放電型のプラズマ平板ランプが主流となりつつある。
この面放電型のプラズマ平板ランプや、対向放電型のプラズマ平板ランプでは、発光効率の最適化や発光輝度を均一にするために、発光面の下部全体が放電空間として利用される。
【０００３】
一般に、面放電型のプラズマ平板ランプは、放電特性が安定しているという点で、対向放電型のプラズマ平板ランプよりも優れているが、全体的な輝度は対向放電型のプラズマ平板ランプよりも劣っている。
【０００４】
従来の面放電型のプラズマ平板ランプの一例として、非特許文献１に開示されたプラズマ平板ランプがある。
このプラズマ平板ランプでは、放電が局部的に集中することを防止するために、放電空間が複数の微小放電領域に区画されている。
このプラズマ平板ランプの場合、安定した放電が可能となるが、各微小放電領域毎の発光輝度の違いや、各微小放電領域間のギャップのために、全体的な発光輝度の均一性が良くない。よって、光を均一に拡散させるために、拡散紙や拡散板を別に設ける必要があった。
【０００５】
【非特許文献１】
Ｍ．Ｉｌｍｅｒ ｅｔ ほか著「Ｓｏｃｉｅｔｙ ｆｏｒ Ｉｎｆｏｒｍａｔｉｏｎ Ｄｉｓｐｌａｙ Ｉｎｔｅｒｎａｔｉｏｎａｌ Ｓｙｍｐｏｓｉｕｍ Ｄｉｇｅｓｔ ｏｆ Ｔｅｃｈｎｉｃａｌ Ｐａｐｅｒｓ ３１」、２０００年、９３１頁。
【０００６】
従来の面放電型のプラズマ平板ランプの他の一例として、図１に示すものがある（例えば非特許文献２）。
図１に示すプラズマ平板ランプは、壁体７により互いに所定距離離間させて設けられた上板１および下板２と、この上板１と下板２との間に形成された放電ガスが充填される放電空間とから構成される。
下板２の内面（放電空間側の面）の両側には、放電用電極３、４が形成されており、放電用電極３、４の上面には誘電体層５がそれぞれ形成されている。
そして、上板１と下板２の放電空間に面する内面には蛍光体層６が設けられている。
【０００７】
このような構造を備えた従来の面放電型のプラズマ平板ランプは、自身の放電特性に起因して、輝度が低いという問題があった。
【０００８】
【非特許文献２】
Ｙ．Ｉｋｅｄａ ｅｔ ほか著「Ｓｏｃｉｅｔｙ ｆｏｒ Ｉｎｆｏｒｍａｔｉｏｎ Ｄｉｓｐｌａｙ Ｉｎｔｅｒｎａｔｉｏｎａｌ Ｓｙｍｐｏｓｉｕｍ Ｄｉｇｅｓｔ ｏｆ Ｔｅｃｈｎｉｃａｌ Ｐａｐｅｒｓ ３１」、２００年、９３８頁。
【０００９】
また、従来の対向放電型のプラズマ平板ランプの一例として、図２に示すものがある（例えば非特許文献２）。
図２に示す対向放電型のプラズマ平板ランプは、壁体７ａにより所定距離離間させて設けられた上板１ａ及び下板２ａと、この上板１ａと下板２ａとの間に形成された放電ガスが充填される放電空間とから構成される。
上板１ａと下板２ａの内面には、放電空間を挟んで電極３ａ、４ａが互いに向い合うように設けられており、これら電極３ａ、４ａの放電空間側の上面には蛍光体層６ａが設けられている。
【００１０】
このような構造を有する対向放電型のプラズマ平板ランプは、図１に示す面放電型のプラズマ平板ランプに比べて輝度が優れている。しかしながら、過電流に起因して、放電効率が低く、放電が不安定であるという欠点を有する。
【００１１】
【非特許文献３】
Ｊ．Ｙ．Ｃｈｏｉ ｅｔ ほか著「Ｐｒｏｃｅｅｄｉｎｇｓ ｏｆ ｔｈｅ １ｓｔ Ｉｎｔｅｒｎａｔｉｏｎａｌ Ｄｉｓｐｌａｙ Ｍａｎｕｆａｃｔｕｒｉｎｇ Ｃｏｎｆｅｒｅｎｃｅ」、２０００年、２１頁。
【００１２】
従来の対向放電型のプラズマ平板ランプの他の例として、図３に示すものがある（例えば非特許文献４）。
図３に示す対向放電型平板ランプは、壁体７ｂにより所定距離離間させて設けられた上板１ｂ及び下板２ｂと、この上板１ｂと下板２ｂとの間に形成された放電ガスが充填される放電空間とから構成される。
そして、壁体７ｂの内側の面には、互いに向い合うように設けられた電極３ｂ、４ｂが設けられており、これら電極３ｂ、４ｂは、誘電体層６ｂにより保護されている。
また、上板１ｂと下板２ｂの放電空間側の内面には、蛍光体層６ａ、６ｂがそれぞれ設けられている。
【００１３】
このような構造を有する対向放電型のプラズマ平板ランプでは、過電流を防止することはできる。しかしながら、放電が不安定であり、特に放電が局部的に集中する傾向が大きいという問題があった。
【００１４】
【発明が解決しようとする課題】
以上説明したように、従来のプラズマ平板ランプでは、安定した放電が得られるが輝度が低い、若しくは輝度が高いが安定した放電が得られないという欠点を有している。
そこで、本発明は高輝度で安定した放電特性を備えるプラズマ平板ランプを提供することを目的とする。
【００１５】
【課題を解決するための手段】
前記目的を達成するために為された本発明は、上板と、前記上板から所定距離離間させて設けられた下板と、前記上板と前記下板との間に密閉された放電空間を形成する壁体と、前記放電空間内に充填される放電ガスと、前記上板に設けられた第１上板電極および前記放電空間を挟んで前記第１上板電極と向い合わせに前記下板に設けられた第１下板電極から構成される第１電極対と、前記上板に設けられた第２上板電極および前記放電空間を挟んで前記第２上板電極と向い合わせに前記下板に設けられた第２下板電極から構成される第２電極対とを含み、前記第２電極対は、前記第１電極対から所定距離離間させて設けられているプラズマ平板ランプに関するものである。
【００１６】
また、本発明は、上板と、前記上板から所定距離離間させて設けられた下板と、前記上板と下板との間に密閉された放電空間を形成する壁体と、前記放電空間内に充填される放電ガスと、前記放電空間を複数の単位放電空間に区切るスペーサと、前記上板に設けられた第１上板電極および前記放電空間を挟んで前記第１上板電極と向い合わせに前記下板に設けられた第１下板電極から構成される第１電極対と、前記上板に設けられた第２上板電極および前記放電空間を挟んで前記第２上板電極と向い合わせに前記下板に設けられた第２下板電極から構成される第２電極対とを含み、前記第１電極対と前記第２電極対は、それぞれ単位放電空間毎に設けられており、前記第２電極対は、前記第１電極対から所定距離離間させて設けられているプラズマ平板ランプに関するものである。
【００１７】
また、前記第１電極対及び第２電極対は、前記上板と下板の外面に、若しくは内面に各々形成されていることが好ましい。
さらに、前記電極対をなす各電極の上には誘電体層が形成されており、前記電極が放電ガスに対して非接触状態にあると良い。
【００１８】
そして、前記下板と、下板の内面に形成される蛍光体層との間に反射層が形成されていることが好ましい。
なお、反射層は、前記壁体の内面に形成されていても良い。
そして、前記第１上板電極及び第２上板電極は光透過性物質で形成されることが望ましい。
【００１９】
【発明の実施の形態】
以下、本発明に係るプラズマ平板ランプの好ましい実施態様を、図４（ａ）及び図４（ｂ）を参照しながら説明する。
本発明に係るプラズマ平板ランプＰでは、上板１０と下板２０とが壁体７０により所定距離離間させた状態で設けられており、この上板１０と下板２０との間には放電ガスが充填される放電空間８０が形成されている。
【００２０】
上板１０と下板２０の放電空間８０側の面には、蛍光体層６１が設けられている。そして、上板１０と下板２０の外面には、第１上板電極３１、第１下板電極３２、第２上板電極４１、第２下板電極４２が各々設けられている。
第１上板電極３１と第１下板電極３２、そして第２上板電極４１と第２下板電極４２は、放電空間８０を挟んでそれぞれ向かい合わせで設けられている。
なお、第１上板電極３１と第１下板電極３２とのワンセットは、請求項における第１電極対に相当する。
そして、第２上板電極４１と第２下板電極４２とのワンセットは、請求項における第２電極対に相当する。
【００２１】
第１上板電極３１と第１下板電極３２とは、電極間（第１上板電極３１と第１下板電極３２）での放電が生じないように、それぞれ同じ電位に保たれている。
第２上板電極４１と第２下板電極４２もまた、第２上板電極４１と第２下板電極４２との間で放電が生じないように、それぞれ同じ電位に保たれている。
【００２２】
なお、第１電極対側から第２電極対側への放電が生じるように、第１電極側の電位と、第２電極側の電位とには、所定の電位差が設定されている。
【００２３】
第１上板電極３１と第１下板電極３２とは電気的に接続されている。
第１上板電極３１と第１下板電極３２との電気的な接続は、直接的な電気的接続であっても良いが、第１上板電極３１と第１下板電極３２とが同じ電位となるように調節することができると共に、第１上板電極３１と第１下板電極３２との相互の電気的干渉を排除することができる電気的連結手段３０を介した接続であっても良い。
【００２４】
第２上板電極４１と第２下板電極４２もまた、第１上板電極３１と第１下板電極３２の場合と同様の構成で接続されている。
すなわち、第２上板電極４１と第２下板電極４２とは電気的に接続されている。
この第２上板電極４１と第２下板電極４２との接続は、直接的な電気的接続であっても良いが、第２上板電極４１と第２下板電極４２とが同じ電位となるように調節することができると共に、第２上板電極４１と第２下板電極４２との相互の電気的干渉を排除することができる電気的連結手段４０を介した接続であっても良い。
【００２５】
図４（ａ）及び図４（ｂ）に示すプラズマ平板ランプの場合、第１電極対（第１上板電極３１と第１下板電極３２）、そして第２電極対（第２上板電極４１と第２下板電極４２）は、それぞれ放電空間内に設けられていない。
そして、第１電極対側及び第２電極対側に印加される電源は、交流電圧または直流性パルス電圧である。
なお、単なる直流電圧では放電の維持ができないので、図４（ａ）及び図４（ｂ）に示すプラズマ平板ランプには適用していない。
【００２６】
図５は、本発明のプラズマ平板ランプの第２実施例を示す。
図５に示す本発明に係るプラズマ平板ランプは、図４（ａ）及び図４（ｂ）に示されたプラズマ平板ランプと電極配置が異なる。図４（ａ）及び図４（ｂ）に示すプラズマ平板ランプでは、電極対が上板１０と下板２０の外面に形成されている。一方、図５に示すプラズマ平板ランプでは、電極対が上板１０と下板２０の内面、すなわち放電空間８０側に設けられている。
【００２７】
図５に示すように、第２実施例に示すプラズマ平板ランプでは、上板１０と下板２０とが壁体７０により所定距離離間させた状態で設けられており、この上板１０と下板２０との間には放電ガスが充填される放電空間８０が形成されている。
【００２８】
上板１０と下板２０の放電空間８０側の面には、蛍光体層６１が設けられている。そして、上板１０と下板２０の内面であって壁体７０の近傍の位置には、第１上板電極３１、第１下板電極３２、第２上板電極４１、第２下板電極４２が設けられている。
ここで、第１上板電極３１と第１下板電極３２、そして第２上板電極４１と第２下板電極４２は、放電空間８０を挟んでそれぞれ向かい合わせで設けられている。
【００２９】
また、これら第１上板電極３１、第１下板電極３２、第２上板電極４１、第２下板電極４２の上には、誘電体層（保護層）５０が設けられている。
なお、この誘電体層５０は、省略することも可能である。
【００３０】
この図５に示すプラズマ平板ランプの駆動原理およびプラズマ平板ランプへ供給される電圧の構成は、図４（ａ）、図４（ｂ）に示すプラズマ平板ランプの場合と同じであるのでここではその説明を省略する。
【００３１】
図６は、本発明のプラズマ平板ランプの第３実施例を示したものである。
この図には、図５に示したプラズマ平板ランプが、アレイ状に複数配置された構造が示してある。
なお、図７は、図６のＡ−Ａ線断面図である。
【００３２】
図６に示すプラズマ平板ランプＰは、それぞれ独立した放電空間を有する単位放電領域Ｐ１、Ｐ２、Ｐ３、Ｐ４に区画されている。
各単位放電領域Ｐ１、Ｐ２、Ｐ３、Ｐ４は、図５に示したプラズマ平板ランプの構造と同様の構造を有しており、それぞれ独立して放電電極が設けられている。
図７に示すように、単位放電領域では、上板１０ａと下板２０ａとが壁体７０ａにより所定距離離間させた状態で設けられており、この上板１０と下板２０との間には放電ガスが充填される放電空間が形成されている。
この放電空間は、スペーサ７１ａにより単位放電空間８０ａ、８０ｂに区画されている。
このように放電空間を、小さな面積の放電区間に区画することにより、ランプ内部と外部との圧力差により、プラズマ平板ランプが破損することを防止している。
【００３３】
図から明らかなように、各単位放電空間８０ａ、８０ｂは、それぞれ独立した放電構造を有している。
すなわち、各単位放電領域Ｐ１、Ｐ２の上板１０ａと下板２０ａとの間には、壁体７０ａとスペーサ７１ａが設けられているので、これにより放電ガスが充填される放電空間８０ａ、８０ｂが形成されている。
【００３４】
各放電空間８０ａ、８０ｂでは、上板１０ａと下板２０ａの放電空間８０ａ、８０ｂ側の面には、蛍光体層６１が設けられている。そして、上板１０と下板２０の内面であって壁体７０ａまたはスペーサ７１ａの近傍の位置には、第１上板電極３１ａ、第１下板電極３２ａ、第２上板電極４１ａ、第２下板電極４２ａが設けられている。
これら第１上板電極３１ａ、第１下板電極３２ａ、第２上板電極４１ａ、第２下板電極４２ａの上には、誘電体層５０ａが設けられている。
このような構造を有するプラズマ平板ランプは、大面積の照明が要求される装置に有用である。
【００３５】
図７に示すプラズマ平板ランプにおいて、上板１０ａの内面側に位置すると共にスペーサ７１ａを挟んで互いに向い合う第２上板電極４１ａ、第２上板電極４１ａは、電気的に接続されている。
また同様に、下板２０ａに設けられた第２下板電極４２ａ、第２下板電極４２ａも電気的に接続されている。
【００３６】
この隣接する第１上板電極４１ａおよび第２下板電極４２ａの構造はこの構造に限定されるものではない。
たとえば、隣接する第１上板電極４１ａ、４１ａと、第２下板電極４２ａ、４２ａとを一体的に形成した構成とすることも可能である。
また、図８に示すように、共通電極４１ａ’、４２ａ’をそれぞれ、単位放電空間８０ａ、８０ｂを跨いで一体的に設けた構成とすることも可能である。
【００３７】
図９は、本発明に係るプラズマ平板ランプの第４の実施例を示す図である。
この図に示すプラズマ平板ランプは、図４（ａ）及び図４（ｂ）に示した第１実施例におけるプラズマ平板ランプを、図７に示すプラズマ平板ランプのアレイ構造に応用したものである。
【００３８】
図９に示すように、上板１０ａと下板２０ａとが壁体７０ａにより所定距離離間させた状態で設けられており、この上板１０ａと下板２０ａとの間には、放電ガスが充填される放電空間が形成されている。
【００３９】
この放電空間内には、放電区間を単位放電空間８０ａ、８０ｂに区画するスペーサ７１ａが設けられている。
このように放電空間を、小さな面積の放電区間に区画することにより、ランプ内部と外部との圧力差により、プラズマ平板ランプが破損することを防止している。
【００４０】
各放電空間８０ａ、８０ｂでは、上板１０ａと下板２０ａの放電空間８０ａ、８０ｂ側の面には、蛍光体層６１がそれぞれ設けられている。
上板１０ａと下板２０ａの外面であって、壁体７０ａまたはスペーサ７１ａの近傍の位置には、第１上板電極３１ｂ、第１下板電極３２ｂ、第２上板電極４１ｂ、第２下板電極４２ｂが設けられている。
これら第１上板電極３１ａ、第１下板電極３２ａ、第２上板電極４１ａ、第２下板電極４２ａの上には、誘電体層等の保護層を設ける構成とすることが可能である。
このような構造を有するプラズマ平板ランプは、大面積の照明が要求される装置に有用である。
【００４１】
図９に示すプラズマ平板ランプにおいて、上板１０ａの外側で互いに隣接する第２上板電極４１ｂ、第２上板電極４１ｂは、電気的に接続されている。
また同様に、下板２０ａに設けられた第２下板電極４２ｂ、第２下板電極４２ｂも電気的に接続されている。
なお、図８に示すプラズマ平板ランプの場合のように、上板１０ａ上の各第２上板電極４１ｂ、４１ｂと、下板２０ａ上の各第２下板電極４２ｂ、４２ｂを、それぞれ一体的に形成することも可能である。
【００４２】
以上説明したプラズマ平板パネルでは、下板と、当該下板の上に設けられた蛍光体層との間に反射層を介在される構成としても良い。
このような構成とすると、下板側に向かう光を上板側に反射させて輝度を向上させることができる。
【００４３】
この反射層を設ける位置は特に限定されるものではなく、光を反射させることにより輝度の向上が期待される位置で有れば、どこに設けても良い。
例えば、壁体の部分に設けた構成とすることも可能である。
【００４４】
前述の放電空間内に電極が形成された構造において、電極上に誘電体層（保護層）が設けられていない場合には、プラズマ平板ランプは直流電圧で駆動する構成とすることが好ましい。
一方、誘電体層（保護層）が設けられている構造であって、電極が上板と下板の外面に形成される構造である場合には、交流電圧または高電位の直流性パルス電圧により駆動される構成とすることが好ましい。
【００４５】
本発明の平板ランプの駆動には、従来公知の様々な駆動方式が採用可能である。
放電ガスが充填された放電空間の電極間に電圧を印加すると、プラズマ放電が起こり、放電が持続する。この際に中性ガス原子及び分子を励起させる高温の電子が発生する。
【００４６】
この電子により励起された励起状態の原子及び分子が、基底状態に戻る際に発する紫外線が、放電空間内に塗布された蛍光体を励起して可視光を発生させる。
上板に塗布された電極が外部から見えるのを防止するために、電極及び誘電体を、光透過度が高い物質で形成する構成や、上板上に拡散板を設ける構成としても良い。
【００４７】
また、局部的な放電の防止や、安定した放電が起こるようにするために、図１０（ａ）や図１０（ｂ）に示すような電極形状とすることが可能である。
図１０（ａ）に示す電極では、電極１０の幅が狭い部分と広い部分とが、周期的に交互に配置されている。
図１０（ｂ）示す電極では、上板１０または下板２０に設けられた電極３１と誘電体層の高さが周期的に変わるように構成されている。
【００４８】
上板及び下板の外面に電極が形成される構成の場合、上板と下板自体が誘電体の役割をするので、上板又は下板自身に屈曲を形成すれば誘電体層の高さに変化をあたえることが可能となる。
【００４９】
図１１乃至図１４は本発明に係るプラズマ平板ランプの放電特性のシミュレーション結果を示す。
図１１（ａ）は、図１に示す従来のプラズマ平板ランプのように、電極が下板に形成されている面放電型のプラズマ平板ランプの電位分布を示す図である。
図１１（ｂ）は、図５に示す本発明に係るプラズマ平板ランプにおいて、図１１（ａ）と同じ条件で求めた電位分布を示す図である。
【００５０】
図１１（ａ）及び図１１（ｂ）に示すように、従来のプラズマ平板ランプ、そして本発明に係るプラズマ平板ランプの両方とも、電極近くにおける電位分布は曲がっていて、一般の対向電極型のプラズマ平板ランプに比べて放電の集中現象がほとんどなく、スパッタリングによる寿命減少現象も少ないことが判る。
しかしながら、図１１（ｂ）の本発明に係るプラズマ平板ランプの場合、図１１（ａ）に図示された表面放電型のプラズマ平板ランプよりも、中心部の電場分布の特徴は、対向電極型のプラズマ平板ランプと似ている。すなわち、電場がランプの中央を中心として分布していることが判る。
【００５１】
図１２（ａ）は、図１に示す従来の面放電型のプラズマ平板ランプの電子密度の分布図である。そして、図１２（ｂ）は、図５に示す本発明に係る平プラズマ板ランプの電子密度の分布図である。
本発明に係るプラズマ平板ランプは、図１２（ｂ）に示すように、図１２（ａ）に示す従来のプラズマ平板ランプの電子密度に比べて、電子分布が中央に集中している。そのため、電子やイオンが壁と衝突して無くなる現象である拡散損失が少ないことが判る。
【００５２】
図１３（ａ）は、図１に示す従来の面放電型のプラズマ平板ランプにおいて、キセノンを励起させるのに要するエネルギーの分布を示す図であり。
図１３（ｂ）は、図５に示す本発明に係るプラズマ平板ランプにおいて、キセノンを励起させるのに要するエネルギーの分布を示す図である。
【００５３】
励起状態にあるキセノン原子または分子が基底状態に戻る際に、紫外線が発せられ、この紫外線により蛍光体が励起されて可視光を発する。よって、同じ構造においてキセノンを励起させるのに使用されたエネルギーを比較することは、発光輝度を比較することに事実上該当する。
本発明のプラズマ平板ランプの方が、前述の電子分布の場合と同様に、励起エネルギー分布が中央に集中している。よって、エネルギー密度が、図１の従来の面放電型のプラズマ平板ランプより高いことが判る。
【００５４】
図１４（ａ）は、従来のプラズマ平板ランプにおいて、入力エネルギーが使用された箇所をその割合で示した図である。
図１４（ｂ）は、本発明に係るプラズマ平板ランプにおいて、入力エネルギーが使用された箇所をその割合で示した図である。
【００５５】
実際の発光に寄与するエネルギーは、中性粒子を電子により励起させるために使用されたエネルギーであるので、全体エネルギーに占める励起に使用されたエネルギーの割合から発光効率を比較できる。
中性粒子の励起に使われたエネルギーの全体エネルギーに対する比をＵＶ効率という。
【００５６】
図１４（ａ）及び図１４（ｂ）に示すように、同じ条件で本発明に係るプラズマ平板ランプ（図１４（ｂ））の場合にＵＶ効率が５％であって、図１４（ａ）に示された従来のプラズマ平板ランプの２％より優秀であることが判る。
【００５７】
図１５は、キセノン（４％）／ネオンの混合気体に対して同じ大きさを有する従来のプラズマ平板ランプと本発明に係るプラズマ平板ランプの実際製作品とに関する実験結果である。
駆動周波数は１５．２ｋＨｚでＡＣパルス駆動し、駆動パルスのピーク電圧は２．８ｋＶとした。
輝度及び効率は本発明に係るプラズマ平板ランプが従来の平板ランプより高く現れた。
【００５８】
【発明の効果】
本発明に係るプラズマ平板ランプは、従来の面放電型のプラズマ平板ランプの長所である安定した放電特性を有し、対向放電型プラズマ平板ランプの特徴である高発光輝度を有しながらも従来の面放電型のプラズマ平板ランプ及び対向放電型のプラズマ平板ランプの短所である低輝度及び不安定した放電特性は有していない。
いくつかの模範的な実施例が説明され、添付された図面に示されたが、こられ実施例は単に広い範囲の発明を例示し、これを制限せず、そして本発明は図示されて説明された構造及び配列に限定されないという点を理解せねばならないが、これは多様な他の修正が当業者により実行できるからである。
【図面の簡単な説明】
【図１】従来の面放電型のプラズマ平板ランプの概略的断面図である。
【図２】従来の対向放電型のプラズマ平板ランプの概略的断面図である。
【図３】従来の対向放電型のプラズマ平板ランプの概略的断面図である。
【図４】（ａ）は、本発明に係るプラズマ平板ランプの第１実施例を示す概略的斜視図である。
（ｂ）は（ａ）に示された本発明に係るプラズマ平板ランプの概略的断面図である。
【図５】本発明に係るプラズマ平板ランプの第２実施例を示す概略的断面図である。
【図６】本発明に係るプラズマ平板ランプの第３実施例を示す概略的斜視図である。
【図７】図６のＡ−Ａ線断面図である。
【図８】図６に示された本発明に係るプラズマ平板ランプで第２電極対の変形例を示した部分抜すい断面図である。
【図９】本発明に係るプラズマ平板ランプの第４実施例を示す概略的断面図である。
【図１０】図１０（ａ）は、本発明に係るプラズマ平板ランプに適用される電極の変形例を示す平面図であり、
図１０（ｂ）は、本発明に係るプラズマ平板ランプに適用される電極の他の変形例を示す断面図である。
【図１１】図１１（ａ）は、従来の面放電型のプラズマ平板ランプの電位分布図である。図１１（ｂ）は、図５に示された本発明のプラズマ平板ランプの電位分布図である。
【図１２】図１２（ａ）は、従来の面放電型のプラズマ平板ランプの電子密度分布図である。
図１２（ｂ）は、図５に示された本発明のプラズマ平板ランプの電子密度分布図である。
【図１３】図１３（ａ）は、従来の面放電型のプラズマ平板ランプにおいて、キセノンを励起させるのに使われたエネルギーの分布図である。
図１３（ｂ）は、本発明に係るプラズマ平板ランプにおいて、キセノンを励起させるのに使われたエネルギーの分布図である。
【図１４】図１４（ａ）は、従来の面放電型のプラズマ平板ランプにおいて、入力エネルギーが使われた箇所を割合で示した図面である。
図１４（ｂ）は、本発明に係るプラズマ平板ランプにおいて、入力エネルギーが使われた箇所を割合で示した図面である。
【図１５】キセノン（４％）／ネオンの混合気体に対して同じサイズまたは規模を有する従来の平板ランプと本発明による平板ランプとの実際製作品の実験結果を示すグラフである。
【符号の説明】
１０・・・上板
２０・・・下板
３１、３２・・・第１電極対
４１、４２・・・第２電極対
７０・・・壁体
８０・・・放電空間
Ｐ・・・ランプ
【図１】
0004133256.tif 000002
【図２】
0004133256.tif 000003
【図３】
0004133256.tif 000004
【図４】
0004133256.tif 000005
【図５】
0004133256.tif 000006
【図６】
0004133256.tif 000007
【図７】
0004133256.tif 000008
【図８】
0004133256.tif 000009
【図９】
0004133256.tif 000010
【図１０】
0004133256.tif 000011
【図１１】
0004133256.tif 000012
【図１２】
0004133256.tif 000013
【図１３】
0004133256.tif 000014
【図１４】
0004133256.tif 000015
【図１５】
0004133256.tif 000016